(57)【要約】【課題】本発明は高出力で歪みを大幅に低減できるスピーカを提供することを目的とするものである。【解決手段】そして、この目的を達成するために本発明は、磁気ギャップ２４を介して斜め方向、または略水平方向に第一、第二の磁石１９，２０を配置するとともに、振動板１５をその一端がボイスコイル体１４の上部に接続するとともに第二の磁石２０の上方に配置し、ダンパー１８をその一端がボイスコイル体１４の下部に接続するとともに第二の磁石２０の下方に配置する構成としたものである。【選択図】図１
2008092029.tif 000002
【特許請求の範囲】
【請求項１】
磁気ギャップを介して斜め方向、または略水平方向に配置した第一、第二の磁石と、前記磁気ギャップに可動自在に配置したボイスコイル体と、このボイスコイル体に結合した振動板とダンパーとを備え、前記振動板をその一端がボイスコイル体の上部に接続するとともに第二の磁石の上方に配置し、前記ダンパーをその一端がボイスコイル体の下部に接続するとともに第二の磁石の下方に配置する構成としたスピーカ。
【請求項２】
第一、第二の磁石は磁気的に連結させて磁気回路を形成させるようにした請求項１に記載のスピーカ。
【発明の詳細な説明】
【技術分野】
【０００１】
本発明は、スピーカに関するものである。
【背景技術】
【０００２】
一般にスピーカは、図２に示されるように磁気回路１をヨーク９と磁石７とプレート１０で構成し、この磁気回路１の磁気ギャップ８に可動自在に配置されたボイスコイル体２を振動板３の内周端に接続し、振動板３の外周端をエッジ４を介してフレーム５に接続し、さらに、このボイスコイル体２とフレーム５をダンパー６で接続した構造となっていた。従来のダンパー６はウレタン、発泡ゴム、ＳＢＲゴムや布などの材料を波板状のコルゲート構造にしたものであり、コルゲート構造とすることで所定の弾性率を確保し、ボイスコイル体２の駆動時におけるローリングを抑制していた。
【０００３】
なお、この出願の発明に関する先行技術文献情報としては、例えば、特許文献１が知られている。
【特許文献１】特開平１１−１５０７９１号公報（図８）
【発明の開示】
【発明が解決しようとする課題】
【０００４】
しかしながら、従来のスピーカにおいては、大振幅時に駆動系部品であるボイスコイル体２がローリングを起こし、異常音を発生するという問題があった。このローリングを起こす要因としては、比較的重量のあるボイスコイル体２を支持する振動板３とダンパー６が、いずれもボイスコイル体２の上方で重量中心から離れた位置で固定され、いわば片持ち梁の状態で支持されているため、大振幅時にボイスコイル体２が振り子のように振れながら上下振幅をすることにより、ローリングによる歪みやギャップ不良により異常音を発生するという課題を有していた。
【０００５】
そこで、本発明はこのような課題を解決し、高出力の音圧を上げることができるとともに、スピーカの歪みを低減させることのできるスピーカを提供することを目的とする。
【課題を解決するための手段】
【０００６】
そして、この目的を達成するために本発明は、磁気ギャップを介して斜め方向、または略水平方向に配置した第一、第二の磁石と、前記磁気ギャップに可動自在に配置したボイスコイル体と、このボイスコイル体に結合した振動板とダンパーとを備え、前記振動板をその一端がボイスコイル体の上部に接続するとともに第二の磁石の上方に配置し、前記ダンパーをその一端がボイスコイル体の下部に接続するとともに第二の磁石の下方に配置する構成としたものである。
【発明の効果】
【０００７】
本発明は、第一の磁石と第二の磁石である二つの磁石を用いることにより、大きな駆動力を発生させて高出力の音圧を上げることができるとともに、ボイスコイル体の上方に振動板を接続し、ボイスコイル体の下方にダンパーを取り付けたことにより、いわば両持ち梁の構成となることから、大振幅時にもボイスコイル体のローリングを防止してスピーカの歪みやギャップ不良を低減できるものである。
【発明を実施するための最良の形態】
【０００８】
以下、本発明の一実施の形態について図１を用いて説明する。
【０００９】
図１は本発明のスピーカを示す断面図であり、すり鉢状のフレーム１７の底部中央に配置された磁気回路１１は、第一の磁石１９、第一のプレート２１、第二の磁石２０、第二のプレート２２、ヨーク２３を組み合わせて接着することにより形成されている。
【００１０】
第一の磁石１９はヨーク２３の中央部底部に配置され、第二の磁石２０はヨーク２３の上面側の下部に配置され、第一の磁石１９と第二の磁石２０は磁気ギャップ２４を介して斜め方向の位置に配置されている。このような構成の磁気回路は斜向磁気回路と呼ばれている。
【００１１】
磁気ギャップ２４は、第一の磁石１９、第一のプレート２１と第二の磁石２０、第二のプレート２２により、磁気回路１１における上面側に向けて開口して形成されている。
【００１２】
ボイスコイル体１４は、円筒状のボビン１３の外周部にコイル１２が巻き付けられた構造であり、磁気ギャップ２４に対して上下方向に可動自在に配置されたもので、ボイスコイル体１４の上方の外周部に接続された振動板１５を振動させる軸となる構造となっている。
【００１３】
なお、ボイスコイル体１４の上部端には防塵対策としてのダストキャップ２５が設けられている。
【００１４】
振動板１５はスピーカの発音源となる部分であり、高い剛性と内部損失を両立したパルプおよび樹脂を主な材料としたもので、その外周端部分が上方、または下方に突出したエッジ１６を介してフレーム１７の開口端部に接続され、内周端部はボイスコイル体１４の上方に固定されている。なお、エッジ１６は振動板１５に可動負荷を加えないように、ウレタン、発泡ゴム、ＳＢＲゴムや布などの材料で形成されている。
【００１５】
ダンパー１８は円板状のコルゲート構造で、その内周端部がボイスコイル体１４のコイル１２よりも下方の位置に接続され、その外周端部はヨーク２３に接続されている。このコルゲート構造は弾性をもつ波板状のリング構造であり、ボイスコイル体１４の駆動に対応して伸縮する構成となっており、ボイスコイル体１４の駆動に追従しやすくなっている。
【００１６】
ボイスコイル体１４のコイル１２に音声信号を印加することで、磁気ギャップ２４の磁界と反応しボイスコイル体１４が上下方向に駆動し、この駆動により振動板１５が振動してスピーカから音が発信されるものである。
【００１７】
本発明のスピーカは、第一の磁石１９と第二の磁石２０の二つの磁石を用いて磁気ギャップ２４を構成しているため、ボイスコイル体１４に大きな駆動力を発生させることができ、その結果として振動板１５による音声出力も大きなものとすることができる。
【００１８】
また、このような磁気回路構成においては、第二の磁石２０の下方にダンパー１８を配置する空間を設けることができるので、この位置にダンパー１８を配置し、このダンパー１８の内周端をボイスコイル体１４の下方に接続することができる。これにより、ボイスコイル体１４は上方に振動板１５を、下方にダンパー１８を取り付けることができるので、いわゆる両持ち梁の構成となることから、ボイスコイル体１４のローリングを防止することができる。
【産業上の利用可能性】
【００１９】
本発明は、スピーカにおいて高出力の音圧を上げることができるとともに、歪みやギャップ不良を低減させることができ、音響映像用や車載用のスピーカに有用である。
【図面の簡単な説明】
【００２０】
【図１】本発明の一実施の形態におけるスピーカの断面図
【図２】従来のスピーカの断面図
【符号の説明】
【００２１】
１１  磁気回路
１２  コイル
１３  ボビン
１４  ボイスコイル体
１５  振動板
１６  エッジ
１７  フレーム
１８  ダンパー
１９  第一の磁石
２０  第二の磁石
２１  第一のプレート
２２  第二のプレート
２３  ヨーク
２４  磁気ギャップ
２５  ダストキャップ
【図１】
2008092029.tif 000003
【図２】
2008092029.tif 000004